(57)【要約】本発明のＲＯＭ−ＲＡＭ情報の同時読み出しが可能の光情報記録媒体を用いたセキュリティシステムは、媒体を特定する識別記号を記録する段別記号記録領域と、平文データを記録するＲＯＭ領域と、前記ＲＯＭ領域に対応する領域に成膜された光磁気記録膜に前記平文データを暗号化した暗号化データが記録される光情報記録媒体からデータを受信可能なセキュリティシステムであって、前記暗号化データを復号化する為の復号化プログラムが記録された記録媒体が使用可能に構成されてなり、前記光情報記録媒体を特定する識別記号に従うデータ送信要求により前記暗号化データを受信する受信部と、前記受信部により受信した暗号化データを前記記録媒体に記録する記録部と、前記復号化プログラムにより前記記録媒体に記録された暗号化データを復号化する復号化部とを有している。
2003060911.tif 000002
【特許請求の範囲】
【請求項１】
媒体を特定する識別記号を記録する段別記号記録領域と、平文データを記録するＲＯＭ領域と、前記ＲＯＭ領域に対応する領域に成膜された光磁気記録膜に前記平文データを暗号化した暗号化データが記録される光情報記録媒体からデータを受信可能なセキュリティシステムであって、
前記暗号化データを復号化する為の復号化プログラムが記録された記録媒体が使用可能に構成されてなり、
前記光情報記録媒体を特定する識別記号に従うデータ送信要求により、前記暗号化データを受信する受信部と、
前記受信部により受信した暗号化データを前記記録媒体に記録する記録部と、
前記復号化プログラムにより前記記録媒体に記録された暗号化データを復号化する復号化部と、
を有することを特徴とするセキュリティシステム。
【請求項２】
請求項１において、
前記暗号化データを復号化する際に、前記記録媒体に記憶された鍵データを用いて復号化することを特徴とするセキュリティシステム。
【請求項３】
請求項１において、
さらに、前記光情報記録媒体を使用して前記光情報記録媒体のデータを送信可能に構成されており、
前記光情報記録媒体のＲＯＭ領域から読み出される平文データを暗号化する暗号化部と、
前記暗号化部による暗号化データと前記光情報記録媒体に記憶された前記暗号化データとを比較する比較部とを備え、
前記比較部により一致が検出される時、前記光情報記録媒体に記憶された前記暗号化データを送信することを特徴とするセキュリティシステム。
【請求項４】
請求項３において、
前記比較部における暗号化データと前記光情報記録媒体における暗号化データとの一致検出を、前記平文データのフレーム単位に行うことを特徴とするセキュリティシステム。
【請求項５】
ＲＯＭ信号となる位相ピットが形成されるＲＯＭ領域を有する基板と、前記基板の前記ＲＯＭ領域に対応する領域に成膜された光磁気記録膜を有する光情報記録媒体を使用可能なセキュリティシステムであって、
前記光情報記録媒体はＲＯＭ領域に固定記録された平文データと、前記光磁気記録膜に記録された前記平文データに対応する暗号化データを保持してなり、
さらに暗号化処理検証モジュールを有し、
前記暗号化処理検証モジュールは、前記ＲＯＭ領域から読み出される平文データを暗号化する暗号化部と、
前記暗号化部による暗号化データと前記光磁気記録膜に記憶された暗号化データとを比較する比較部とで構成され、
前記平文データの暗号化処理の検証を行うこと、
を特徴とする光情報記録媒体を用いるセキュリティシステム。
【請求項６】
ＲＯＭ信号となる位相ピットが形成されるＲＯＭ領域を有する基板と、前記基板の前記ＲＯＭ領域に対応する領域に成膜された光磁気記録膜を有する光情報記録媒体を使用可能なセキュリティシステムであって、
前記光情報記録媒体は、ＲＯＭ領域に固定記憶されたデータと、前記光磁気記録膜に記録された前記データのチェックサムを保持してなり、
さらに平文改鼠検証モジュールを有し、
前記平文改鼠検証モジュールは、前記ＲＯＭ領域からデータを読み出し、チェックサムを求めるチェックサム処理部と、
前記チェックサム処理部により求められたチェックサムと、前記光磁気記録膜に記憶されたチェックサムを比較する比較部とで構成され、
前記データの改ざん検証を行うこと、
を特徴とする光情報記録媒体を用いるセキュリティシステム。
【請求項７】
ＲＯＭ信号となる位相ピットが形成されるＲＯＭ領域を有する基板と、前記基板の前記ＲＯＭ領域に対応する領域に成膜された光磁気記録膜を有する光情報記録媒体を使用可能なセキュリティシステムであって、
前記光情報記録媒体は、ＲＯＭ領域に固定記憶されたデータと、前記光磁気記録膜に記憶された前記データに対するパスワードを保持してなり、
さらにパスワード検証モジュールを有し、
前記パスワード検証モジュールは、前記光磁気記録膜に記憶されたパスワードと、ユーザにより入力されるパスワードとを比較する比較部で少なくとも構成され、
前記比較部によりパスワードの一致が検出されたときに、前記光情報記録媒体のＲＯＭ領域からデータを出力すること、
を特徴とする光情報記録媒体を用いるセキュリティシステム。
【請求項８】
請求項７において、
前記光情報記録媒体の光磁気記録膜に記憶されたパスワードが、前記光情報記録媒体のＲＯＭ領域に記憶されたデータのデータビットのウォータマークであって、前記比較部によりパスワードの一致が検出されたときに、前記データとウォータマークを合成して出力すること、
を特徴とする光情穀記録媒体を用いるセキュリティシステム。
【請求項９】
請求項１において、
前記記録媒体は、ユーザがアクセスできない非アクセスエリアを有し、
前記非アクセスエリアに復号化プログラム、鍵データの少なくとも１つが記憶されていることを特徴とするセキュリティシステム。
【請求項１０】
ＲＯＭ信号となる位相ピットが形成されるＲＯＭ領域と、前記ＲＯＭ領域に対応する領域に成膜された光磁気記録膜を有する光情報記録媒体が使用可能なセキュリティシステムであって、
前記光情報記録媒体は、媒体を特定する識別記号が記録された識別記号記録領域を有するとともに、ＲＯＭ領域に固定記録された平文データを保持し、前記光磁気記録膜に記録された前記平文データを暗号化した暗号化データを保持してなり、
前記光情報記録媒体を特定する識別記号に従うデータ送信要求により、前記光磁気記録膜に記録された暗号化データを送信する送信部を、
有することを特徴とするセキュリティシステム。
【請求項１１】
請求項１０において、
前記光情報記録媒体は、ユーザがアクセスできない非アクセスエリアを有し、前記非アクセスエリアに暗号化プログラム、復号化プログラム、鍵データの少なくとも１つが記憶されていること、
を特徴とするセキュリティシステム。
【請求項１２】
ＲＯＭ信号となる位相ピットが形成されるＲＯＭ領域と、前記ＲＯＭ領域に対応する領域に成膜された光磁気記録膜を有する光情報記録媒体が使用可能なセキュリティシステムであって、
前記光情報記録媒体から読み出されたＲＯＭ信号の平文データを暗号化する暗号化処理部と、
前記暗号化処理部で暗号化されたデータを前記光情報記録媒体の光磁気記録膜に記録する記録部と、
を有することを特徴とするセキュリティシステム。
【発明の詳細な説明】
発明の背景
技術分野
本発明は、光情報記録媒体を用いるセキュリティシステムに関し、特に、ＲＯＭ−ＲＡＭ同時再生が可能な光情報記録媒体を用いるセキュリティシステムに関する。
従来の技術
現在、光磁気ディスクメモリに関して、高密度記録・再生及び高速アクセスの点において研究・開発が積極的に進められている。図１は、ＩＳＯ規格の媒体であって、一例として光磁気ディスクの平面図である。リードイン１とリードアウト２は、ポリカーボネイト基板に、凹凸により形成された位相ピットで構成されるＲＯＭ情報であり、ディスクの仕様等の情報が記録される。これを読むことにより記録再生の条件を制御している。
このＲＯＭ情報となる位相ピットの光学的深さ（ピット深さ）は、再生時の光強度変調が最大になるように設定されている。一般には７０％以上の変調度（グルーブや凹凸が形成されていない平坦部の光強度に対する位相ピット部の光強度の変化割合）に設定されている。
リードイン１とリードアウト２の間に光磁気記録膜がスパッタ装置により成膜されているユーザエリア３がある。このユーザエリア３にはユーザが自由に情報を記録できる。
図２は、ユーザエリア３を拡大した平面図の一部である。トラッキングガイドとなるグルーブ４に挟まれたランド５にヘッダー部６となる位相ピット８と、ユーザデータ部７を有している。ヘッダー部６の情報は、セクター・フォーマットに従いセクターマーク，ＶＦＯ、ＩＤなどから構成される。
他方、ユーザデータ部７は、グルーブ４に挟まれた平坦なランド５であって、光磁気信号として記録される。光磁気記録膜にレーザ光による加熱により磁化反転を助け、信号磁界に対応して磁化の方向を反転させて光磁気信号の記録が行われる。
図３は、図２の半径方向即ち、Ａ−Ｂ線に沿う断面の概念構造を示す図である。ポリカーボネイト等の基板Ａ、誘電体膜Ｂ、ＴｂＦｅＣｏ等の光磁気記録膜Ｃ、誘電体膜Ｄ、Ａｌ膜Ｅと、保護層としてのＵＶ硬化膜Ｆを積層して構成される。
なお、図３は、図２の構成に対し、更に近年の光磁気ディスクに対応して修正して示されている。すなわち、図３において、グルーブ４の領域にも光磁気記録を行わせるために、ランド５の領域と半径方向において、同様の幅を有するごとくに示されている。
記録情報の読出しの際は、弱いレーザ光を当てることにより、レーザ光の偏光面が記録層の磁化の向きによって極カー効果により変わり、この時の反射光の偏光成分の強弱により信号の有無を判断する。これにより、ＲＡＭ情報の読出が可能である。
この様な光ディスクメモリーの特徴を生かす研究・開発が進められ、例えば、特開平６−２０２８２０号公報あるいは、テレビジョン学会誌論文Ｖｏｌ．４６，Ｎｏ．１０，ｐｐ１３１９〜１３２４（１９９２）に、ＲＯＭ（Ｒｅａｄ  Ｏｎｌｙ  Ｍｅｍｏｒｙ）−ＲＡＭ（Ｒａｎｄｏｍ  Ａｃｃｅｓｓ  Ｍｅｍｏｒｙ）による同時再生が可能なコンカレントＲＯＭ−ＲＡＭ光ディスク（以降、光情報記録媒体という）について開示されている。
かかるＲＯＭ−ＲＡＭによる同時再生が可能な光情報記録媒体は、図４に示す半径方向の断面構造を有し、一例としてポリカーボネイト等の基板Ａ、誘電体膜Ｂ、ＴｂＦｅＣｏ等の光磁気記録膜Ｃ、誘電体膜Ｄ、Ａｌ膜Ｅと、保護層としてのＵＶ硬化膜Ｆを積層して構成される。
かかる構造の光情報記録媒体において、図５に示すようにＲＯＭ情報は位相ピットＰＰにより固定記録され、ＲＡＭ情報は位相ピットＰＰ列上に光磁気記録ＯＭＭにより記録される。なお、図５における半径方向のＡ−Ｂ線方向の断面が図４に一致する。なお、図５に示す例では、位相ピットＰＰ列が、トラッキングガイドとなるので、図２、図３に示したようなグルーブ４を設けていない。
発明の概要
したがって、本発明の目的は、かかる光情報記録媒体の特徴を生かした、データの送出若しくは、データの出力表示を行う際のセキュリティの確保を可能とするセキュリティシステムを提供することにある。
そして、かかる本発明の目的を実現する光情報記録媒体を用いるセキュリティシステムの第１の態様は、媒体を特定する識別記号を記録する段別記号記録領域と、平文データを記録するＲＯＭ領域と、前記ＲＯＭ領域に対応する領域に成膜された光磁気記録膜に前記平文データを暗号化した暗号化データが記録される光情報記録媒体からデータを受信可能なセキュリティシステムであって、前記暗号化データを復号化する為の復号化プログラムが記録された記録媒体が使用可能に構成されてなり、前記光情報記録媒体を特定する識別記号に従うデータ送信要求により、前記暗号化データを受信する受信部と、前記受信部により受信した暗号化データを前記記録媒体に記録する記録部と、前記復号化プログラムにより前記記録媒体に記録された暗号化データを復号化する復号化部とを有することを特徴とする。
上記の本発明の目的を実現する光情報記録媒体を用いるセキュリティシステムの第２の態様は、第１の態様において、前記暗号化データを復号化する際に、前記記録媒体に記憶された鍵データを用いて復号化することを特徴とする。上記の本発明の目的を実現する光情報記録媒体を用いるセキュリティシステムの第３の態様は、第１の態様において、さらに、前記光情報記録媒体を使用して前記光情報記録媒体のデータを送信可能に構成されており、前記光情報記録媒体のＲＯＭ領域から読み出される平文データを暗号化する暗号化部と、前記暗号化部による暗号化データと前記光情報記録媒体に記憶された前記暗号化データとを比較する比較部とを備え、前記比較部により一致が検出される時、前記光情報記録媒体に記憶された前記暗号化データを送信することを特徴とする。
上記の本発明の目的を実現する光情報記録媒体を用いるセキュリティシステムの第４の態様は、第３の態様において、前記比較部における暗号化データと前記光情報記録媒体における暗号化データとの一致検出を、前記平文データのフレーム単位に行うことを特徴とする。
さらに、上記の本発明の目的を実現する光情報記録媒体を用いるセキュリティシステムの第５の態様は、ＲＯＭ信号となる位相ピットが形成されるＲＯＭ領域を有する基板と、前記基板の前記ＲＯＭ領域に対応する領域に成膜された光磁気記録膜を有する光情報記録媒体を使用可能なセキュリティシステムであって、前記光情報記録媒体はＲＯＭ領域に固定記録された平文データと、前記光磁気記録膜に記録された前記平文データに対応する暗号化データを保持してなり、更に暗号化処理検証モジュールを有し、前記暗号化処理検証モジュールは、前記ＲＯＭ領域から読み出される平文データを暗号化する暗号化部と、前記暗号化部による暗号化データと前記光磁気記録膜に記憶された暗号化データとを比較する比較部とで構成され、前記平文データの暗号化処理の検証を行うことを特徴とする。
上記の本発明の目的を実現する光情報記録媒体を用いるセキュリティシステムの第６の態様は、ＲＯＭ信号となる位相ピットが形成されるＲＯＭ領域を有する基板と、前記基板の前記ＲＯＭ領域に対応する領域に成膜された光磁気記録膜を有する光情報記録媒体を使用可能なセキュリティシステムであって、前記光情報記録媒体は、ＲＯＭ領域に固定記憶されたデータと、前記光磁気記録膜に記録された前記データのチェックサムを保持してなり、さらに平文改鼠検証モジュールを有し、前記平文改鼠検証モジュールは、前記ＲＯＭ領域からデータを読み出し、チェックサムを求めるチェックサム処理部と、前記チェックサム処理部により求められたチェックサムと、前記光磁気記録膜に記憶されたチェックサムを比較する比較部とで構成され、前記データの改ざん検証を行うことを特徴とする。
上記の本発明の目的を実現する光情報記録媒体を用いるセキュリティシステムの第７の態様は、ＲＯＭ信号となる位相ピットが形成されるＲＯＭ領域を有する基板と、前記基板の前記ＲＯＭ領域に対応する領域に成膜された光磁気記録膜を有する光情報記録媒体を使用可能なセキュリティシステムであって、前記光情報記録媒体は、ＲＯＭ領域に固定記憶されたデータと、前記光磁気記録膜に記憶された前記データに対するパスワードを保持してなり、さらにパスワード検証モジュールを有し、前記パスワード検証モジュールは、前記光磁気記録膜に記憶されたパスワードと、ユーザにより入力されるパスワードとを比較する比較部で少なくとも構成され、前記比較部によりパスワードの一致が検出されたときに、前記光情報記録媒体のＲＯＭ領域からデータを出力することを特徴とする。
上記の本発明の目的を実現する光情報記録媒体を用いるセキュリティシステムの第８の態様は、第７の態様において、前記光情報記録媒体の光磁気記録膜に記憶されたパスワードが、前記光情報記録媒体のＲＯＭ領域に記憶されたデータのデータビットのウォータマークであって、前記比較部によりパスワードの一致が検出されたときに、前記データとウォータマークを合成して出力することを特徴とする。
上記の本発明の目的を実現する光情報記録媒体を用いるセキュリティシステムの第９の態様は、第１の態様において、前記記録媒体は、ユーザがアクセスできない非アクセスエリアを有し、前記非アクセスエリアに復号化プログラム、鍵データの少なくとも１つが記憶されていることを特徴とする。
さらに、上記の本発明の目的を実現する光情報記録媒体を用いるセキュリティシステムの第１０の態様は、ＲＯＭ信号となる位相ピットが形成されるＲＯＭ領域と、前記ＲＯＭ領域に対応する領域に成膜された光磁気記録膜を有する光情報記録媒体が使用可能なセキュリティシステムであって、前記光情報記録媒体は、媒体を特定する識別記号が記録された識別記号記録領域を有するとともに、ＲＯＭ領域に固定記録された平文データを保持し、前記光磁気記録膜に記録された前記平文データを暗号化した暗号化データを保持してなり、前記光情報記録媒体を特定する識別記号に従うデータ送信要求により、前記光磁気記録膜に記録された暗号化データを送信する送信部を有することを特徴とする。
上記の本発明の目的を実現する光情報記録媒体を用いるセキュリティシステムの第１１の態様は、第１０の態様において、前記光情報記録媒体は、ユーザがアクセスできない非アクセスエリアを有し、前記非アクセスエリアに暗号化プログラム、復号化プログラム、鍵データの少なくとも１つが記憶されていることを特徴とする。
さらにまた、上記の本発明の目的を実現する光情報記録媒体を用いるセキュリティシステムの第１２の態様は、ＲＯＭ信号となる位相ピットが形成されるＲＯＭ領域と、前記ＲＯＭ領域に対応する領域に成膜された光磁気記録膜を有する光情報記録媒体が使用可能なセキュリティシステムであって、前記光情報記録媒体から読み出されたＲＯＭ信号の平文データを暗号化する暗号化処理部と、前記暗号化処理部で暗号化されたデータを前記光情報記録媒体の光磁気記録膜に記録する記録部とを有することを特徴とする。
本発明の特徴は、以下に図面に従い説明される発明の実施の形態から更に明らかになる。
発明の実施の形態
図６は、本発明を暗号化技術に適用した光情報記録媒体を用いるセキュリティシステムの概念を説明する図であり、図７は図６のシステムにおける動作フロー図である。
送信側システムに図４，図５により説明した原本となるＲＯＭ−ＲＡＭ同時読み出し可能の光情報記録媒体が備えられる（図６Ａ）。図６Ａに示すディスク形状の光情報記録媒体は、ユーザが（ホスト）コマンドにより指定してアクセスできないようにドライブのコントローラで管理されている非アクセスエリア１００、位相ピットによりＲＯＭ信号を固定的に記憶するＲＯＭ領域１０２及び、前記ＲＯＭ領域１０２に対応して配置される光磁気記録膜１０３を有している。
なお、ＲＯＭ−ＲＡＭ同時読み出し可能の光情報記録媒体において、ＲＯＭ領域１０２及び、光磁気記録膜１０３は、図面上同心状に異なる領域に配置されているように図示されている。実際は、ＲＯＭ領域１０２上に光磁気記録膜が形成され、ＲＡＭ領域として機能する。以下の実施の形態例においても同様である。
実施例として、ＲＯＭ領域１０２には、光情報記録媒体自体を特定する媒体識別記号（ＩＤ）と原文データが平文データのまま固定的に記録されている。光磁気記録膜１０３には、ＲＡＭ信号として前記の平文データを暗号化した暗号データが記録されている。
さらに、非アクセスエリア１００には、前記暗号化のための暗号化プログラムと、暗号化プログラムに対応する復号プログラム及び、復号プログラムを起動するための鍵データが記録されている。
ここで、暗号化データは種々の方法により生成することが可能である。例えば、Ｔｒｉｐｌｅ  Ｄｅｓなどにより暗号化データを生成することが可能である。
図６Ｂは、前記復号プログラム及び、復号プログラムを起動するための鍵データと同じデータを記憶した非アクセスエリア１０１と、ＲＡＭエリア１０４を有する光磁気記録媒体（ＭＯ）等の副本または複製用のＲＡＭ記憶媒体である。
図７を参照してシステムの動作を説明する。送信側システムに図６Ａに示す光情報記録媒体が備えられ、事前に図６ＢのＲＡＭ記憶媒体が受信側システムに提供される（処理工程Ｐ１）。このＲＡＭ記憶媒体の提供の方法は種々の態様が考えられる。送信側から受信側に要求された時に復号プログラム及び鍵データをダウンロードもしくはインストールするなどして作成するか、あるいは受信者が事前に購入等の方法で入手しておくことも可能である。
受信側は、媒体ＩＤを送信側に送信して、データの送信を要求する（処理工程Ｐ２）。送信側は、受信した媒体ＩＤによりＲＯＭ領域１０２に記憶された媒体ＩＤと一致する光情報記録媒体を特定することができる。
したがって、特定された光情報記録媒体の光磁気記録膜１０３であるＲＡＭエリアに記憶された暗号化データを読み出し、受信側に配信する（処理工程Ｐ３）。
一方、受信側は、配信された暗号化データを事前に配布されている副本又は複製用のＲＡＭ記憶媒体（図６Ｂ）のＲＡＭエリア１０４に記録格納する（処理工程Ｐ４）。ついで、非アクセスエリア１０１に格納されている復号化プログラムを、後に説明する記憶装置の復号化手段にロードする（処理工程Ｐ５）。さらに、ＲＡＭエリア１０４から暗号化データを読み出し、前記復号化手段において、復号化プログラムにより復号化し（処理工程Ｐ６）、復号データとして出力する（処理工程Ｐ７）。
これにより、真正なユーザに対してのみ暗号化データを送り、ユーザにおける復号化により目的とする平文データの提供が可能となる。このような光情報記録媒体を用いたセキュリティシステムにより、送信側は同一の記録媒体を用いて、原文データとそれに対応する暗号化データを一体に管理することが可能である。さらに、受信側からの媒体ＩＤ送信による送信要求に対し、直ちに対応する暗号化データの配信が可能である。
ここで、上記の実施の形態例において、送信側から受信側に配信される暗号化データは正常に暗号化されたデータであることが、受信側即ち、ユーザに信用を与える為に重要である。
図８は、かかる点に鑑みて配信される暗号化データを検証するための構成例である。送信側に暗号化処理検証モジュール２０１が備えられる。さらに、送信側に備えられる光情報記録媒体２００は、フレーム単位にＲＯＭ領域１０２に平文データ（Ｄ１〜Ｄ４）が固定記録されている。この平文データに対応して光磁気記録膜１０３にＲＡＭ信号として暗号化データ（Ｃ１〜Ｃ４）が記録されている。
一方、暗号化処理検証モジュール２０１は、ハードウエアあるいはソフトウエアで実現可能であり、暗号化処理検証モジュール２０１は、暗号化手段２１０により、前記ＲＯＭ領域２から所定フレームの平文データＤ１を読み出し暗号化する。
ついで、比較器２１０により、暗号化手段２１２により暗号化されたデータＣ１′と、前記光磁気記録膜１０３に記憶された平文データと同時に読み出された対応するフレームの暗号化データＣ１が比較される。
比較器２１０により、一致が検出されたときは、前記光磁気記録膜３に記憶された暗号化データＣ１を送出し、要求があった受信側に配信する。一方、比較器２１０により一致が検出されない時は、比較結果としてアラームが出力表示されるとともに切替器２１１により暗号化データＣ１の出力を阻止する。
これにより、平文データと暗号化データを同時に読み出しながら検証できるので、受信側に配信する前にフレーム単位で平文データに対応する暗号化データが正しく処理されていることを逐次検証することが可能である。なお、フレーム単位とは、１画像フレーム単位、１音楽フレーム単位若しくはセクタ単位等、更にホスト処理可能なブロック単位等を含むものである。
上記の実施の形態では、送信側に光情報記録媒体が備えられ、暗号化データを受信側に配信するセキュリティシステムであるが、本発明の適用はこれに限定されない。
以下に説明する実施の形態例では、光情報記録媒体自体がユーザの手元に配布される態様を有するセキュリティシステムの例である。
図９は、光情報記録媒体自体がユーザの手元に配布される態様を有するセキュリティシステムの第１の実施の形態例である。
ユーザの手元に配布された光情報記録媒体２００は、フレーム単位にＲＯＭ領域１０２に平文データ（Ｄ１〜Ｄ４）が固定記録されている。この平文データに対応して光磁気記録膜１０３にＲＡＭ信号として平文データのチェックサム（ＣＳ１〜ＣＳ４）が記録されている。
ユーザの記憶装置に平文改竄検証モジュール２０１を備えている。平文改竄検証モジュール２０１は、前記ＲＯＭ領域１０２から平文データを読み出し、チェックサムを求める手段２１２を有し、実施例としてハッシュ関数を求める。
ついで、比較器２１０において、前記チェックサムを求める手段２１２により求められたチェックサムと、前記光磁気記録膜１０３に記憶された、平文データと同時に読み出された平文データに対応するフレーム単位のチェックサム（ＣＳ１〜ＣＳ４）が比較される。
前記比較器２１０により一致が検出されたときに、前記ＲＯＭ領域１０２に記憶された平文データ（Ｄ１〜Ｄ４）を出力するように切替器２１１を制御する。一方、比較器２１０により一致が検出されない時は、比較結果としてアラームが出力表示されるとともに、切替器２１１により平文データＤ１の出力を阻止する。
このように、平文データとチェックサムを同時に読み出しながら検証できる。
上記のシステムによりユーザは光情報記録媒体に保存された平文データ（Ｄ１〜Ｄ４）を読み出し利用する際に、それらに改竄があるか否かを逐次検証し、真正な平文データを処理の対象とすることが可能である。
図１０は、光情報記録媒体へのアクセスを行うものが、真正なユーザであることを検証可能とする本発明を適用するシステム例である。ユーザの手元に配布された光情報記録媒体２００は、フレーム単位にＲＯＭ領域１０２に平文データ（Ｄ１〜Ｄ４）が固定記録されている。
さらに、この平文データに対応して光磁気記録膜１０３にＲＡＭ信号として平文データに対するアクセスを可能とするパスワード（ＰＷ１〜ＰＷ４）が記録されている。
ユーザの記憶装置には、パスワード検証モジュール２０１を備えている。パスワード検証モジュール２０１において、前記ＲＯＭ領域１０２から平文データを読み出し、切替スイッチ２１３に入力する。
さらに、パスワード比較器２１０を有し、前記光磁気記録膜１０３に記憶されたフレーム単位の平文データ（Ｄ１〜Ｄ４）に対応するパスワード（ＰＷ１〜ＰＷ４）を平文データとともに読み出し、ユーザにより入力されるパスワードと比較する。
前記パスワード比較器２１０により一致が検出されたときに、前記ＲＯＭ領域２に記憶された平文データ（Ｄ１〜Ｄ４）を出力するように切替スイッチ２１３を制御する。切替スイツチ２１３の出力は図示しない表示装置に表示され，真正なユーザにより処理が可能となる。このように、平文データとパスワードを同時に読み出しながら検証できる。
このようなシステムにより、真正なユーザは、個人情報である平文データに対し個人所有パスワードを用いて容易にセキュリティ管理をすることが可能である。
図１１は、図１０の実施の形態を更に発展させた適用例である。ユーザの手元に配布された光情報記録媒体２００は、フレーム単位にＲＯＭ領域１０２に平文データ（Ｄ１〜Ｄ４）が固定記録されている。
さらに、この平文データに対応して光磁気記録膜１０３にＲＡＭ信号として平文データに対するアクセスを可能とするウォータマーク（電子すかし）（ＷＭ１〜ＷＭ４）が記録されている。なお、この実施の形態では、ウォータマーク（電子すかし）（ＷＭ１〜ＷＭ４）が記録されている光磁気記録膜１０３の領域は非アクセス可能にされている。
ユーザの記憶装置には、ウォータマーク検証モジュール２０１を備えている。ウォータマーク検証モジュール２０１において、前記ＲＯＭ領域１０２から平文データを読み出し、ＲＯＭ−ＲＡＭ合成器２１５に入力する。
さらに、パスワード比較器２１０を有し、管理者により入力されるパスワード（ＰＷ）と、パスワード登録メモリ２１６に事前に記憶した登録パスワードＰＷとを比較し、両者が一致したとき、前記光磁気記録膜１０３に記憶されたフレーム単位に平文データ（Ｄ１〜Ｄ４）に対応するウォータマーク（電子すかし）（ＷＭ１〜ＷＭ４）を読み出し、ゲート２１４に入力する。
比較器２１０において、管理者により入力されるパスワード（ＰＷ）と、非アクセスエリア１００に格納されたパスワード又は、パスワード登録メモリ２１６に登録されているパスワードＰＷとの一致を判定する。一致が判定されたときに、ゲート２１４が開かれ、読み出したウォータマークがＲＯＭ−ＲＡＭ合成器２１５に入力される。
ＲＯＭ−ＲＡＭ合成器２１５では、ＲＯＭ領域１０２から読み出した平文データと同時にＲＡＭ領域から読み出したウォータマークを合成して出力表示する。このように、平文データとウォータマークを同時に合成できる。
この図１１に示す実施の形態において、データエリアであるＲＯＭ領域１０２のデータビットにウォータマークビットの割り当てがなく、従ってウォータマークビットの再生による劣化が生じない。さらに、ウォータマーク検出処理の簡単な電子透かし方式の実現が可能である。
コンカレントＲＯＭ−ＲＡＭで、前記各種検証を行うことにより、検証が時間的に効率化でき、出力（送信）処理を迅速に行うことができる。なお、Ｐ−ＲＯＭをＭＯに適用することも可能である。
ここで、上記の実施の形態例に適用可能の送信側あるいは受信側のユーザにおいて備えられる記憶装置即ち、光情報記録媒体のＲＯＭ領域１０２からの原本データと、光磁気記録膜１０３からの暗号化データ（図８）、チェックサム（図９）、パスワード（図１０）あるいはウォータマーク（図１１）の同時読み出しに適した記憶装置の好ましい構成例を説明する。
ここで好ましいとは次の点にある。先に従来技術として説明したＲＯＭ情報とＲＡＭ情報を同一記録面に有する光情報記録媒体において、位相ピットＰＰからなるＲＯＭ情報と光磁気記録ＯＭＭからなるＲＡＭ情報を同時に再生するためには、多くの課題が存在する。第一にＲＯＭ情報とともに、ＲＡＭ情報を安定に再生するには、ＲＯＭ情報読み出しにおいて生じる光強度変調を低減する必要がある。
このために、先に言及した公報及び文献に記載された従来技術においては、ＲＯＭ情報の読み出しに伴う光強度変調信号を読み出し駆動用レーザに負帰還させる（以下ＭＰＦ［Ｍｏｄｕｌａｔｅｄ  Ｐｏｗｅｒ  Ｆｅｅｄｂａｃｋ］と呼ぶ）ことにより光強度変調信号を低減させている。
しかし、ＲＯＭ情報の光強度変調度合いが大きい場合は、かかる従来技術によるだけでは不十分である。すなわち、ＲＯＭ情報による光強度変調を低減することにおいて、この光強度変調を低減し過ぎる場合は、ＲＯＭ情報自体の再生マージンが減少することになる。
したがって、図１２は、かかるＲＯＭ情報による光強度変調による影響を低減する、本発明の光情報記録媒体を用いたルセキュリティシステムに適用する場合の、原本データと、光磁気記録膜１０３からの暗号化データ（図８）、チェックサム（図９）、パスワード（図１０）あるいはウォータマーク（図１１）の同時読み出しに適した記憶装置の構成例ブロック図である。
図１２において、光ビームの光源としての半導体レーザダイオードＬＤ（波長７８５ｎｍ）から出射した光ビームであるレーザ光はコリメータレンズ１０により平行光束に変換される。
ついで、変換された平行光束は、偏光ビームスプリッタ１１に入射する。偏光ビームスプリッタ１１での反射光は集光レンズ１２によりオートパワーコントロール（ＡＰＣ）用のフォトディテクタ１３に入射される。ここで光電変換され検出電気信号は、アンプ１４を通してメインコントローラ１５に導かれ、ＡＰＣ制御又は、ＲＯＭ信号の再生に用いられる。
一方、偏光ビームスプリッタ１１を透過した光束は対物レンズ１６によりほぼ回折限界に絞られ、本発明の光情報記録媒体１７に照射される。光情報記録媒体１７は、モータ１８により回転される。さらに、光情報記録媒体１７で反射された光束は、再び対物レンズ１６を通して偏光ビームスプリッタ１１に入射し、そこで反射されてサーボ光学系と記録情報検出系に導かれる。
すなわち、偏光ビームスプリッタ１１で反射された光情報記録媒体１７からの反射光は、第２の偏光ビームスプリッタ１９に入射し、その透過光はサーボ光学系に、第２の偏光ビームスプリッタ１９での反射光は記録情報検出系に入射する。
第２の偏光ビームスプリッタ１９からの透過光は、サーボ光学系における集光レンズ２０及びシリンドリカルレンズ２１を通して４分割フォトディテクタ２２に入射し、そこで光電変換される。
光電変換された４分割フォトディテクタ２２の出力により、非点収差法による生成回路２３でフォーカスエラー検出（ＦＥＳ）を行う。同時に、プッシュプル法による生成回路２４でトラックエラー検出（ＴＥＳ）を行う。
図１３は、かかる４分割フォトディテクタ２２と、その出力に基づきフォーカスエラー（ＦＥＳ）検出を行う非点収差法による生成回路２３及び、トラックエラー（ＴＥＳ）検出を行うプッシュプル法による生成回路２４の関係を示している。
４分割フォトディテクタ２２で４分割された第２の偏光ビームスプリッタ１９からの透過光をそれぞれＡ、Ｂ，Ｃ，Ｄとすると、フォーカスエラー検出（ＦＥＳ）を行う非点収差法による生成回路２３は、対物レンズ１６の光軸方向の制御誤差であるフォーカスエラー（ＦＥＳ）を次の計算により求める。
2003060911.tif 000003
一方、トラックエラー（ＴＥＳ）検出を行うプッシュプル法による生成回路２４は、対物レンズ１６の光軸に垂直な方向の制御誤差であるトラックエラー（ＴＥＳ）を次の計算により求める。
2003060911.tif 000004
これらの計算により求められたフォーカスエラー信号（ＦＥＳ）及びトラックエラー信号（ＴＥＳ）は、メインコントローラ１５に入力される。
一方、記録情報検出系において、反射レーザ光は、記録情報検出系における２ビームウォラストン２６に入射し、光情報記録媒体１７上の光磁気記録の磁化の向きによって変わる反射レーザ光の偏光特性が光強度に変換される。
すなわち、２ビームウォラストン２６において、偏光検波により偏光方向が互いに直交する二つのビームに分離し、集光レンズ２７を通して２分割フォトディテクタ２８に入射し、それぞれ光電変換される。
２分割フォオトディテクタ２８で光電変換された２つの電気信号は、加算アンプ２９で加算され、第１のＲＯＭ信号（ＲＯＭ１）となり、同時に、減算アンプ３０で減算され、ＲＡＭ読みだし信号（ＲＡＭ）となり、それぞれメインコントローラ１５に入力される。
ここまでは、主に読み出しにおける光束の流れについて説明した。次に、各フォトディテクタからの出力信号の流れについて、図１４に示すメインコントローラ１５の詳細構成例を参照しながら説明する。
図１４において、メインコントローラ１５には、ＡＰＣ用フォトディテクタ１３に入射した半導体レーザダイオードＬＤの反射光が光電変換され、アンプ１４を通して第２のＲＯＭ信号（ＲＯＭ２）として入力する。
さらに、先に説明したように、メインコントローラ１５には、加算アンプ２９の出力である第１のＲＯＭ信号（ＲＯＭ１）、差動アンプ３０の出力であるＲＡＭ信号（ＲＡＭ）、ＦＥＳ生成回路２３からのフォーカスエラー信号（ＦＥＳ）、ＴＥＳ生成回路２４からのトラックエラー信号（ＴＥＳ）が入力する。
また、データ源３２との間でインタフェース回路３３を通して記録用データ及び読出データが入出力される。
メインコントローラ１５に入力される第１のＲＯＭ信号（ＲＯＭ１）、第２のＲＯＭ信号（ＲＯＭ２）及び、ＲＡＭ信号（ＲＡＭ）は、各モード即ち、ＲＯＭ及びＲＡＭ再生時、ＲＯＭのみ再生時及び、記録（ＷＲＩＴＥ）時に対応して検出し使用される。
図１５は、各モードでの上記ＲＯＭ１、ＲＯＭ２及び、ＲＡＭの検出の組合せを示す図である。この様な各モードでのＲＯＭ１、ＲＯＭ２及び、ＲＡＭの検出の組あわせのために、図１５に示すメインコントローラ１５にはＲＯＭ切替スイッチＳＷ１，ＳＷ２を有している。
図１４に示されるＲＯＭ切替スイッチＳＷ１，ＳＷ２の状態は、図１５に示すモードにおけるＲＯＭ及びＲＡＭ再生時である。ＲＯＭのみ再生時及び記録時には、図１４に示されるＲＯＭ切替スイッチＳＷ１，ＳＷ２の状態が、それぞれ反転された状態に切替えられる。
メインコントローラ１５内のＬＤコントローラ１５０は、暗号器１５１及び、ＲＯＭ切替スイッチＳＷ１の出力を受け、ＬＤドライバ３１に対するコマンド信号を生成する。
ＬＤドライバ３１は、ＬＤコントローラ１５０で生成されたコマンド信号に従い、ＲＯＭ及びＲＡＭ再生時には、第１のＲＯＭ信号（ＲＯＭ１）に応じて半導体レーザダイオードＬＤの発光パワーを負帰還制御し、ＲＯＭのみ再生時及び記録時には、第２のＲＯＭ信号（ＲＯＭ２）に応じて半導体レーザダイオードＬＤの発光パワーを負帰還制御する。
かかる構成において、再生時の動作について説明する。位相ピット信号即ち、読み出される原本データであるＲＯＭ信号による光強度変調が、ＲＡＭ信号に対してノイズとなることは先に説明した。
したがって、先の従来技術に示された方法と同様にして、加算アンプ２９から第１のＲＯＭ信号（ＲＯＭ１）を半導体レーザダイオードＬＤにＬＤドライバ３１を通して負帰還させ、発光制御して、第１のＲＯＭ信号（ＲＯＭ１）を低減し、平坦化することが可能である。
このような態様で、読み出されるＲＡＭ信号へのクロストークを効率的に抑えることができる。しかし、ＲＯＭ及びＲＡＭ信号の同時読み出しを行う場合、ＲＯＭ１信号が、上記の様に負帰還制御により平坦であるため、ＲＯＭ信号を得ることが難しくなる。
したがって、別の方法によりＲＯＭ信号を検出しなければならない。本発明の実施例においては、再生時に第１のＲＯＭ信号（ＲＯＭ１）によって半導体レーザダイオードＬＤへの注入電流が負帰還変調されている。すなわち、ＲＯＭ信号と同じパターンで光強度変調されている。
この光強度変調は、ＡＰＣ用フォトディテクタ１３により検出することが可能である。ＭＰＦループ動作時には、ＡＰＣループをオフとすることにより、位相ピット信号を第２のＲＯＭ信号（ＲＯＭ２）として得ることができる。
したがって、本発明においては、この第２のＲＯＭ信号（ＲＯＭ２）が、図１５に示すメインコントローラ１５において、同期検出回路１５４によりクロック再生され、復調器１５５で、ＥＦＭ磁界変調に対応する復調を行い、ＲＯＭ情報として得ることができる。復調されたＲＯＭ情報は更に、暗号器１５１における暗号化に対応する復号化が復号器１５６により行われ、再生データとして出力される。
ＲＯＭ情報及びＲＡＭ情報の同時再生時は、上記の同期検出回路１５４により得られる第２のＲＯＭ信号（ＲＯＭ２）から再生されたクロックに基づき、モータコントローラ１５９を介して、モータドライバ３４によりシーク動作の一部としてモータ１８の回転を制御する。
ＲＡＭ信号は半導体レーザダイオードＬＤへのＬＤドライバ３１を含むＲＯＭ信号負帰還手段により、ＲＯＭ信号の干渉を受けずに差動アンプ３０の出力として検出できる。
差動アンプ３０の出力は、メインコントローラ１５において、同期検出回路１５７に同期検出され、復調器１５８で、ＮＲＺＩ変調に対応した復調が行われ、復号器１５６により復号化され、ＲＡＭ信号として出力される。
産業上の利用可能性
上記に詳述したように、本発明によりＲＯＭ−ＲＡＭ情報を同時に読出し可能な光情報記録媒体を用い、そのＲＯＭ領域に原本データを固定的に記録し、同時にＲＡＭ領域にセキュリティを担保するためのデータを記録する。これにより、データ配信におけるセキュリティを担保したシステムが提供可能である。
【図面の簡単な説明】
図１は、ＩＳＯ規格の媒体であって、一例として光磁気ディスクの平面図である。
図２は、図１に示す光磁気ディスクメモリのユーザエリア３を拡大した平面図の一部である。
図３は、図２において、Ａ−Ｂ線に沿う半径方向の断面構造を示す図である。
図４は、ＲＯＭ−ＲＡＭによる同時再生が可能な光情報記録媒体の断面構造を示す図である。
図５は、図４の構造の光情報記録媒体におけるＲＯＭ情報とＲＡＭ情報の記録を説明する図である。
図６は、本発明を暗号化技術に適用した光情報記録媒体を用いるセキュリティシステムの概念構成を説明する図である。
図７は図６のシステムの動作フロー図である。
図８は、暗号化データを検証するための構成例である。
図９は、光情報記録媒体自体がユーザの手元に配布される態様を有するセキュリティシステムの第１の実施の形態例である。
図１０は、真正なユーザの検証に本発明を適用する例である。
図１１は、図１０の実施の形態を更に発展させた適用例である。
図１２は、光情報記録媒体に対するＲＯＭ情報とＲＡＭ情報の同時読み出しを可能とする記憶装置の実施例構成のブロック図である。
図１３は、４分割フォトディテクタ２２と、その出力に基づくフォーカスエラー（ＦＥＳ）検出及びトラックエラー（ＴＥＳ）検出の方法を説明する図である。
図１４は、メインコントローラ１５の詳細構成例を示す図である。
図１５は、各モードでのＲＯＭ１、ＲＯＭ２及び、ＲＡＭの検出の組合せを示す図である。
【図１】
2003060911.tif 000005
【図２】
2003060911.tif 000006
【図３】
2003060911.tif 000007
【図４】
2003060911.tif 000008
【図５】
2003060911.tif 000009
【図６】
2003060911.tif 000010
【図７】
2003060911.tif 000011
【図８】
2003060911.tif 000012
【図９】
2003060911.tif 000013
【図１０】
2003060911.tif 000014
【図１１】
2003060911.tif 000015
【図１２】
2003060911.tif 000016
【図１３】
2003060911.tif 000017
【図１４】
2003060911.tif 000018
【図１５】
2003060911.tif 000019
【国際調査報告】
2003060911.tif 000020
2003060911.tif 000021
2003060911.tif 000022
2003060911.tif 000023